(57)【特許請求の範囲】
【請求項１】
画像データに所定の画像処理を施すことにより該画像データを加工するデータ加工装置と、このデータ加工装置とは独立に設けられ、上記データ加工装置により加工された画像データに基づいてプリント出力するプリント出力装置とから構成される写真処理システムにおいて、
特定のデータ加工装置は、特定のプリント出力装置に備えられたパラメータ設定部により、該特定のプリント出力装置についての所定のプリント出力が可能となるようにカスタマイズされたプリント出力用のパラメータを、ＲＡＭにインストールするパラメータ処理部を有し、このインストールされた、上記特定のプリント出力装置についてカスタマイズされたパラメータを用いて画像データを加工するものであり、
上記特定のプリント出力装置は、このパラメータを用いて加工された画像データをプリント出力するものであることを特徴とする写真処理システム。
【請求項２】
上記特定のプリント出力装置についてカスタマイズされたパラメータは、このパラメータを含むプログラムを記録した記録媒体を上記特定のデータ加工装置にインストールすることにより、該特定のデータ加工装置による画像データの加工に用いられることを特徴とする請求項１記載の写真処理システム。
【請求項３】
上記パラメータを用いて加工された画像データは、該データを記録した記録媒体を上記特定のプリント出力装置にインストールすることにより、該特定のプリント出力装置によるプリント出力に用いられることを特徴とする請求項１又は２記載の写真処理システム。
【請求項４】
上記特定のデータ加工装置は、上記特定のプリント出力装置に対し、複数台設けられていることを特徴とする請求項１〜３のいずれかに記載の写真処理システム。
【請求項５】
画像データに所定の画像処理を施すことにより該画像データを加工するデータ加工装置とは独立に設けられ、上記データ加工装置により加工された画像データに基づいてプリント出力するプリント出力装置から構成される写真処理装置において、
特定のプリント出力装置は、この特定のプリント出力装置に備えられたパラメータ設定部により該特定のプリント出力装置についての所定のプリント出力が可能となるようにカスタマイズされた、プリント出力用のパラメータがインストールされた特定のデータ加工装置により当該パラメータを用いて加工された画像データをプリント出力するものであることを特徴とする写真処理装置。
【発明の詳細な説明】
【０００１】
【発明の属する技術分野】
本発明は、データ加工装置と、このデータ加工装置により加工された画像データに基づいてプリント出力するプリント出力装置とから構成される写真処理システム及び写真処理装置に関する。
【０００２】
【従来の技術】
近年、デジタルカメラで撮像したデジタル画像等を家庭内でパーソナルコンピュータ等を用いて、フィルタ処理や、拡大・縮小処理等の各種画像処理を施すことによりデータ加工を行い、この加工された画像データをショップ（写真店）に持ち込んで、当該ショップのプリンターにより所望のプリント出力を行う写真処理システムが普及してきた。そのようなシステムでは、当該ショップのプリンターに特有の出力処理を施すことができ、プリントの依頼者はその出力処理によるプリント出力を期待していることがある。
【０００３】
【発明が解決しようとする課題】
しかし、ショップのプリンターの種類等が異なれば、そのプリンターで採用できるプリント出力方法も多少異なり、プリントの依頼者が期待したプリント出力が得られないことがある。例えば、期待したプリントサイズ、面質等が当該プリンターでは扱われない等である。また、プリント出力作業においても、その都度プリント出力用の各種パラメータを入力するのは煩雑であり、作業効率の面からも問題である。
【０００４】
本発明は、上記事情に鑑みてなされたものであり、期待したプリント出力が必ず得られ、かつ作業効率にも優れた写真処理システム及び写真処理装置を提供することを目的としている。
【０００５】
【課題を解決するための手段】
上記目的を達成するため、本発明の請求項１は、画像データに所定の画像処理を施すことにより該画像データを加工するデータ加工装置と、このデータ加工装置とは独立に設けられ、上記データ加工装置により加工された画像データに基づいてプリント出力するプリント出力装置とから構成される写真処理システムにおいて、特定のデータ加工装置は、特定のプリント出力装置に備えられたパラメータ設定部により、該特定のプリント出力装置についての所定のプリント出力が可能となるようにカスタマイズされたプリント出力用のパラメータを、ＲＡＭにインストールするパラメータ処理部を有し、このインストールされた、上記特定のプリント出力装置についてカスタマイズされたパラメータを用いて画像データを加工するものであり、上記特定のプリント出力装置は、このパラメータを用いて加工された画像データをプリント出力するものであることを特徴とする写真処理システムとして構成されている。
【０００６】
この装置構成によれば、特定のデータ加工装置により、特定のプリント出力装置についてカスタマイズされたパラメータを用いて画像データが加工されるので、上記画像データは、上記特定のプリント出力装置にとって最適のデータとなるように加工される。そして、上記特定のプリント出力装置により、このパラメータを用いて加工された画像データがプリント出力されるので、当該特定のプリント出力装置にとって最適なプリント出力が行われ、これによりプリントの依頼者は常に期待したプリント出力を得ることができる。また、プリント出力作業においても、その都度プリント出力用の各種パラメータを入力する必要がなくなり、作業効率の面からも好ましいものとなる。なお、プリント出力用パラメータには、プリントサイズ、面質等を含む。
【０００７】
さらに、上記特定のプリント出力装置は、上記パラメータをこの特定のプリント出力装置についてカスタマイズ可能なパラメータ設定部を備えたものであるので、フレキシブルなパラメータ設定が期待できる。また、この場合には、パラメータ変更を簡単に行うこともできる。なお、上記パラメータは、予め上記特定のプリント出力装置についてカスタマイズされたものであることとすれば、正確なパラメータ設定が期待できる。
【０００８】
さらに、上記特定のプリント出力装置についてカスタマイズされたパラメータは、このパラメータを含むプログラムを記録した記録媒体を上記特定のデータ加工装置にインストールすることにより、該特定のデータ加工装置による画像データの加工に用いられることとすれば（請求項２）、上記画像データを、上記特定のプリント出力装置にとって最適のデータとなるように簡単に加工することができる。
【０００９】
さらに、上記パラメータを用いて加工された画像データは、該データを記録した記録媒体を上記特定のプリント出力装置にインストールすることにより、該特定のプリント出力装置によるプリント出力に用いられることとすれば（請求項３）、当該特定のプリント出力装置にとって最適なプリント出力を簡単に行うことができる。
【００１０】
さらに、上記特定のデータ加工装置は、上記特定のプリント出力装置に対し、複数台設けられていることとすれば（請求項４）、これら複数台の特定のデータ加工装置により加工された画像データに基づき、上記特定のプリント出力装置により、最適なプリント出力を行うことができる。
【００１１】
また、本発明の請求項５は、画像データに所定の画像処理を施すことにより該画像データを加工するデータ加工装置とは独立に設けられ、上記データ加工装置により加工された画像データに基づいてプリント出力するプリント出力装置から構成される写真処理装置において、特定のプリント出力装置は、この特定のプリント出力装置に備えられたパラメータ設定部により該特定のプリント出力装置についての所定のプリント出力が可能となるようにカスタマイズされた、プリント出力用のパラメータがインストールされた特定のデータ加工装置により当該パラメータを用いて加工された画像データをプリント出力するものであることを特徴とする写真処理装置として構成されている。
【００１２】
この装置構成によれば、特定のプリント出力装置によって、特定のデータ加工装置によりこの特定のプリント出力装置についてカスタマイズされたパラメータを用いて加工された画像データに基づいてプリント出力がなされるので、当該特定のプリント出力装置にとって最適なプリント出力が行われ、これによりプリントの依頼者は常に期待したプリント出力を得ることができる。また、プリント出力作業においても、その都度プリント出力用の各種パラメータを入力する必要がなくなり、作業効率の面からも好ましいものとなる。
【００１３】
【発明の実施の形態】
図１は本発明に係る写真処理システムの一実施形態を示す概略構成図である。
【００１４】
図１に示すように、本実施形態に係る写真処理システム（以下、「本システム」という。）は、画像データに所定の画像処理を施すことによりこの画像データを加工する家庭用のパーソナルコンピュータ（データ加工装置）１０と、このパーソナルコンピュータ１０とは独立に設けられ、パーソナルコンピュータ１０により加工された画像データに基づいてプリント出力する写真処理装置（プリント出力装置）２０とから構成されるものであって、パーソナルコンピュータ１０は、写真処理装置２０について特有のプリント出力が可能となるようにカスタマイズされたパラメータを用いて画像データを加工し、写真処理装置２０は、このパラメータを用いて加工された画像データに基づいてプリント出力することを特徴とする。
【００１５】
パーソナルコンピュータ１０は、家庭内でユーザ（以下、Ｂ側という。）が例えばデジタルカメラで撮像したデジタル画像等に、フィルタ処理や、拡大・縮小処理等の各種画像処理を施すことによりデータ加工を行う汎用のパーソナルコンピュータ等であり、その詳細構成については後述する。
【００１６】
写真処理装置２０は、Ｂ側でパーソナルコンピュータ１０により加工された画像データがショップ（写真店；以下、Ａ側という。）に持ち込まれると、このデータに基づいてプリント出力するものである。ただし、Ａ側には、撮像済みフィルム等が持ち込まれることも多いので、写真処理装置２０には、撮像済みフィルム等を撮像し画像データとして取り込むスキャナー４０をも備えており、スキャナー４０により取り込んだ画像データに対し、図略のキーボード，マウス等を用いて、プリント補正を含む各種画像処理やプリント出力用パラメータの設定等を行うＡ側のパーソナルコンピュータ（その要素である、後述するパラメータ設定手段がパラメータ設定部に相当する。）５０と、画像処理やプリント出力用パラメータの設定中の各種情報を例えばＣＲＴ画面上に表示するモニター６０とを備えている。プリンター（プリント部）３０は、上記画像処理結果やプリント出力用パラメータの設定値に基づいてプリント出力を行うものである。
【００１７】
このうち、スキャナー４０は、例えばアレイ状に配置されたＣＣＤ等の光電変換素子からなるラインセンサーに、Ｒ（赤），Ｇ（緑），Ｂ（青）の三原色フィルターを設けることによって、カラー写真の場合に、写真の被写体の色を識別可能なものとしたカラースキャナーであって、搬送される写真の表面を露光走査することにより撮像するものである。なお、スキャナー４０は、ラインセンサーに代えてもちろんＣＣＤがマトリックス状に配列されたエリアセンサーであってもよい。その場合には、走査が不要となる。
【００１８】
パーソナルコンピュータ５０は、スキャナー４０により得られたＣＣＤ各素子に対応する各画素の信号からなる画像信号をデジタル化した後、あるいは、図略のフロッピーディスクドライブ等から読み込まれた画像データについて、各種画像処理等を行うものである。このため、パーソナルコンピュータ５０には、プリント出力用パラメータを設定するためのアプリケーションプログラムが、フロッピーディスクドライブ等から読み込まれることによりインストール可能となっており、このパラメータは写真処理装置２０のプリンター３０についてカスタマイズされるようになっている。また、フロッピーディスクドライブ等は、Ｂ側から供給される、上記パラメータを用いて加工された画像データを読み込んでインストールできるものでもある。なお、パーソナルコンピュータ５０の詳細構成については後述する。
【００１９】
モニター６０は、パーソナルコンピュータ５０による画像処理中に、画像データを例えば６こま毎にＣＲＴ画面上に表示することができる。この画面上には、必要に応じて、画面入力用のダイアログボックスが呼び出され、その中のソフトスイッチ操作により、各種指示を与えることができるようになっている。
【００２０】
プリンター３０は、図２に示すように、感光材料であるペーパ１０１を、パーソナルコンピュータ５０から送られてきた画像データに基づいて、露光する露光部１００と、露光されたペーパ１０１を現像処理する現像処理部２００と、現像処理されたペーパ１０１を乾燥させる乾燥部３００等で構成されている。
【００２１】
露光部１００では、図中の左右のマガジン１０２内にペーパ１０１をロール状にしてそれぞれ収納しており、ここからペーパ１０１が供給される。マガジン１０２からのペーパ１０１出口には、ペーパ振り分け部１０３が配設されており、ここでいずれかの一方のペーパ１０１が選択される。ペーパ振り分け部１０３の下流にはカッタ１０４が配設されており、選択されたペーパ１０１はカッタ１０４により所定長さにカットされた後、露光部１０５に搬送されるようになっている。そして、光源部１０６から光ファイバーケーブル１０７を介して供給される画像データに基づき、ＰＬＺＴ等の移送露光式の露光ヘッド１０８により、露光部１０５内を所定の速度で搬送されながら、デジタル画像の露光が行われる。露光が行われたペーパ１０１は、送りローラ、駆動ローラ等のローラ群１０９を介して現像処理部２００に搬出されるようになっている。
【００２２】
現像処理部２００は、具体的には露光されたペーパ１０１を現像、漂白、定着及び安定化処理（又は水洗）するものであるが、少なくとも全現像工程と定着工程の初期では、外部から迷光による感光があってはならない。そのため、現像処理部２００の内部には、現像処理槽２０１、漂白定着処理槽２０２及び安定化処理槽２０３が順に配設されており、各槽２０１〜２０３内を順にペーパ１０１が一定速度で搬送されるようにするために搬送ローラ等２０４が設けられている。最後部の安定化処理槽２０３から搬出されたペーパ１０１は、スクイズローラ２０５によりその表面に付着している処理液を拭い取られた後、乾燥部３００に搬送される。
【００２３】
乾燥部３００の下方には、例えば温風をペーパ１０１に吹き付けるブロワ３０１が配設されており、この温風によりペーパ１０１は搬送ローラ等３０２により搬送されながら乾燥処理される。乾燥処理されたペーパ１０１は、乾燥部３００の上部の排出口３０３から排出され、写真として完成されるようになっている。ただし、ブロワ３０１に代えて、搬送ルート中にヒータを設けても良い。
【００２４】
このようなプリント出力に際しては、種々のパラメータが用いられるが、このパラメータとしては、Ａ側で入力されるものと、Ｂ側で入力されるものとがある。例えば、Ａ側で入力されるパラメータとしては、図３に示すように、プリント価格，プリントサイズ，面質（光沢，半光沢，無光沢）等がある。また、Ｂ側で入力されるパラメータとしては、図４に示すように、プリント価格，プリント枚数，色調整等がある。このうち、色調整用パラメータは、画像処理時に利用するものでもある。したがって、Ｂ側で色調整用パラメータを入力すれば、Ａ側でその色調整用パラメータの入力値が用いられることとなり、期待した色調整がなされたプリント出力結果が得られる。なお、Ａ側でのみ入力されるパラメータであるプリントサイズ，面質といったパラメータは、Ｂ側のパーソナルコンピュータ１０の画面上では直接見えないようになっている。このため、Ｂ側のパーソナルコンピュータ１０の画面上に表示されないパラメータには、パラメータ設定時に、Ｂ側非表示フラグが付けられる。この逆に、Ｂ側のパーソナルコンピュータ１０の画面上に表示されるパラメータのみに表示フラグを付けても良い。
【００２５】
これらのパラメータは、本実施形態では、市販のフロッピーディスク等を利用してＡ，Ｂ側間で授受される。その授受は、例えば図５に示すようなルートで行われる。
【００２６】
図５において、上記パラメータは、アプリケーションプログラムに含められ、このプログラムを記録したフロッピーディスクの形でＡ側であるＸ，Ｙに供給される。そのパラメータは写真処理装置２０のメーカ等で予め設定されたものであってもよく、その場合には、正確な設定が期待できる。あるいは、上記パラメータはＡ側の写真処理装置２０のパーソナルコンピュータ５０（Ｘ，Ｙ）でそれぞれ設定されることとしても良く、その場合には、フレキシブルな設定が行え、またパラメータの変更も簡単に行うことができる。
【００２７】
ついで、Ｘでこのアプリケーションプログラムに写真処理装置２０のプリンター３０（Ｘ）についてのプリント出力用パラメータを含めたフロッピーディスクは、Ｂ側のｘに供給される。ｘではこのフロッピーディスクに記録されたアプリケーションプログラムがパーソナルコンピュータ１０（ｘ）にインストールされた状態で、画像処理が行われ画像データが加工される。そして、この加工されて写真処理装置２０のプリンター３０（Ｘ）についてカスタマイズされた画像データが別のフロッピーディスクに記録されて、Ａ側のＸに持ち込まれると、ここで、写真処理装置２０のプリンター３０（Ｘ）を使用して所望のプリント出力が得られる。
【００２８】
一方、Ａ側のＹでは上記供給されたアプリケーションプログラムに写真処理装置２０のプリンター３０（Ｙ）のプリント出力用パラメータを含めたフロッピーディスクの形で、Ｂ側のｙに供給される。Ｂ側のｙでは、このフロッピーディスクに記録されたアプリケーションプログラムがパーソナルコンピュータ１０（ｙ）にインストールされた状態で、画像処理が行われ画像データが加工される。そして、この加工されて写真処理装置２０のプリンター３０（Ｙ）についてカスタマイズされた画像データが別のフロッピーディスクに記録されて、Ａ側のＹに持ち込まれると、ここで、写真処理装置２０のプリンター３０（Ｙ）を使用して所望のプリント出力が得られる。しかし、ｙが写真処理装置２０のプリンター３０（Ｙ）についてカスタマイズされた画像データをＸに持ち込んだ場合には、必ずしも所望のプリント出力が得られない。上記ｘが写真処理装置２０のプリンター３０（Ｘ）についてカスタマイズされた画像データをＹに持ち込んだ場合も同様である。
【００２９】
図６，図７は本システムのＡ，Ｂ側の制御系の一例を示すものであり、以下、これにより、パーソナルコンピュータ１０とパーソナルコンピュータ５０の詳細構成を説明する。なお、両制御系は上述したように、フロッピーディスク等の記録媒体を介して上記パラメータの授受を行っている。
【００３０】
図６は、Ｂ側の制御系に関するものである。すなわち、このＢ側の制御系は、パーソナルコンピュータ１０を中心としてなっており、フロッピーディスクドライブ１１，パラメータ処理手段１５，画像データ加工手段１６等から構成されている。このうち、フロッピーディスクドライブ１１は、上記パラメータを含むアプリケーションプログラムが記録されたフロッピーディスク（記録媒体）や画像データが記憶されたフロッピーディスクを挿入可能な入力装置である。パラメータ処理手段１５は、フロッピーディスクドライブ１１に挿入されたフロッピーディスクからアプリケーションプログラムを読み込んでＲＡＭ１２に一旦記憶しておき、所定のタイミングで呼び出してそのプログラムに含まれた上記パラメータのモニター１３の画面上への表示やマウス１４等を用いて上記パラメータに変数入力を行うものである。画像データ加工手段１６は、フロッピーディスクドライブ１１に挿入されたフロッピーディスクから画像データを読み込んでＲＡＭ１２に一旦記憶しておき、所定のタイミングで呼び出して、この呼び出された画像データに対し、パラメータ処理手段１５により処理されたパラメータを用いて各種画像処理を施すことにより、その画像データを加工するものである。そして、パラメータ処理手段１５と画像データ加工手段１６は、パーソナルコンピュータ１０のＲＯＭ１７に記憶され、ＣＰＵ１８による制御の下、その実行時に呼び出される実行形式のプログラムにより具現化される。このため、ＲＡＭ１２は上記アプリケーションプログラム及び画像データを記憶するのに十分な記憶容量を有し、ＲＯＭ１７は上記パラメータ処理手段１５と画像データ加工手段１６を記憶するのに十分な記憶容量を有している。
【００３１】
図７は、Ａ側の制御系に関するものである。すなわち、このＡ側の制御系は、パーソナルコンピュータ５０を中心としてなっており、フロッピーディスクドライブ６１，パラメータ設定手段（パラメータ設定部）５２，パラメータ処理手段５３，画像データ再加工手段５４，プリント出力手段５５等から構成されている。このうち、フロッピーディスクドライブ６１は、上記パラメータを含むアプリケーションプログラムが記録されたフロッピーディスク（記録媒体）や画像データが記憶されたフロッピーディスクを挿入可能な入力装置である。パラメータ設定手段５２は、フロッピーディスクドライブ６１に挿入されたフロッピーディスクからアプリケーションプログラムを読み込んでＲＡＭ５１に一旦記憶しておき、所定のタイミングで呼び出してそのプログラムに含まれた上記パラメータのモニター６０の画面上への表示やマウス６２等を用いて上記パラメータに変数入力を行うものである。パラメータ処理手段５３は、フロッピーディスクドライブ６１に挿入されたフロッピーディスクからＢ側で加工された画像データを読み込んでＲＡＭ５１に一旦記憶しておき、所定のタイミングで呼び出して、その画像データに含まれた上記パラメータのモニター６０の画面上への表示やマウス６２等を用いて上記パラメータに変数入力を行うものである。画像データ再加工手段５４は、必要に応じ、この画像データに対し、パラメータ処理手段５３により処理されたパラメータを用いて各種画像処理を施すことにより、その画像データを再加工するものである。プリント出力手段５５は、スキャナー４０により撮像して作られた画像データ、Ｂ側で加工された画像データ、あるいは、上記画像データ再加工手段５４により再加工された画像データをプリンター３０に出力するものである。そして、パラメータ設定手段５２とパラメータ処理手段５３と画像データ再加工手段５４とプリント出力手段５５は、パーソナルコンピュータ５０のＲＯＭ５６に記憶され、ＣＰＵ５７による制御の下、その実行時に呼び出される実行形式のプログラムにより具現化される。このため、ＲＡＭ５１は上記アプリケーションプログラム及び画像データを記憶するのに十分な記憶容量を有し、ＲＯＭ５６は上記パラメータ設定手段５２等を記憶するのに十分な記憶容量を有している。
【００３２】
以下、図８〜図１０を参照しつつ、本システムの動作を概略説明する。図８は、本システムの動作を示すメインフローチャート、図９はアプリケーションプログラムの入力処理を示すフローチャート、図１０は画像データの加工処理を示すフローチャート、図１１はプリント出力を示すフローチャートである。
【００３３】
図８に示すように、まずＡ側において、写真処理装置２０（図７）におけるプリンター３０の設定情報であるパラメータがアプリケーションプログラムにセットされる（ステップＳ１００）。この情報は例えば写真処理装置２０の種類毎に異なるものであり、Ａ側で当該装置にマッチしたパラメータがセットされる。
【００３４】
ついで、Ｂ側では、このパラメータがセットされたアプリケーションプログラムが家庭用のパーソナルコンピュータ１０（図６）にインストールされ、このパラメータを用いて画面編集等が行われて画像データが加工される（ステップＳ２００）。
【００３５】
そして、Ｂ側より加工された画像データがＡ側に持ち込まれると、そのＡ側で画像データに基づいてプリント出力される（ステップＳ３００）。この場合、各プリンター３０の情報に基づいた画像が作成されているため、Ａ側で補正する必要がないか、たとえ補正があっても少なくて済む。
【００３６】
以下、各工程について、詳述する。
【００３７】
上記ステップＳ１００においては、図９に示すように、まずアプリケーションプログラムがパーソナルコンピュータ５０にインストールされる（ステップＳ１０１）。ついで、パーソナルコンピュータ５０のパラメータ設定手段５２により、設定すべきパラメータの有無が判断され（ステップＳ１０２）、設定すべきパラメータがあると判断されると（ステップＳ１０２でＹＥＳ）、パラメータがモニター６０の画面上で入力される（ステップＳ１０３）。ついで、そのパラメータは、Ｂ側のモニター１３の画面上で表示されるか否かが判断される（ステップＳ１０４）。Ｂ側のモニター１３で表示されないパラメータであると判断された場合には（ステップＳ１０４でＹＥＳ）、Ｂ側非表示フラグがセットされ（ステップＳ１０５）、上記ステップＳ１０２に戻る。一方、Ｂ側のモニター１３で表示されるパラメータであると判断された場合には（ステップＳ１０４でＮＯ）、Ｂ側非表示フラグがセットされずに（すなわち、上記ステップＳ１０５をスキップして）、上記ステップＳ１０２に戻る。このようにして、処理すべきパラメータのすべてについて、Ｂ側での表示、非表示を分類しつつその入力がなされ、処理すべきパラメータが無くなった場合に（ステップＳ１０２でＮＯ）、メインフローに戻る。
【００３８】
上記ステップＳ２００においては、図１０に示すように、まずＢ側でパーソナルコンピュータ１０にアプリケーションプログラムがインストールされ（ステップＳ２０１）、加工前の画像データが入力される（ステップＳ２０２）。すると、パーソナルコンピュータ１０のパラメータ処理手段１５により、アプリケーションプログラム中に処理すべきパラメータの有無が判断される（ステップＳ２０３）。処理すべきパラメータが有ると判断されると（ステップＳ２０３でＹＥＳ）、そのパラメータがＢ側非表示フラグ付きが否かが判断される（ステップＳ２０４）。Ｂ側非表示フラグ付きではないと判断されると（ステップＳ２０４でＮＯ）、モニター１３の画面上に、そのパラメータが表示される（ステップＳ２０５）。一方、Ｂ側非表示フラグ付きであると判断されると（ステップＳ２０４でＹＥＳ）、モニター１３の画面上にはそのパラメータは表示されない（すなわち、ステップＳ２０５がスキップされる）。引き続き、パラメータ処理手段１５により、Ｂ側でのパラメータ入力があるか否かが判断され（ステップＳ２０６）、Ｂ側でのパラメータ入力があると判断されると（ステップＳ２０６でＹＥＳ）、マウス１４等を用いて、そのパラメータを入力してから（ステップＳ２０７）、上記ステップＳ２０３に戻る。一方、Ｂ側でのパラメータ入力がないと判断されると（ステップＳ２０６でＮＯ）、そのパラメータを入力することなく（つまり、ステップＳ２０７をスキップして）、上記ステップＳ２０３に戻る。そして、上記ステップＳ２０３において、処理すべきパラメータがないと判断されると（ステップＳ２０３でＮＯ）、モニター１３の画面上に画像データが表示される（ステップＳ２０８）。ついで、画像データ加工手段１６により、画像データの加工があるか否かが判断され（ステップＳ２０９）、加工があると判断されると（ステップＳ２０９でＹＥＳ）、上記表示、非表示のパラメータを用いて、画像データが加工され（ステップＳ２１０）、メインフローに戻る。一方、画像データの加工がないと判断されると（ステップＳ２０９でＮＯ）、画像データは加工されずに（すなわち、ステップＳ２１０をスキップして）、メインフローに戻る。
【００３９】
上記ステップＳ３００においては、図１１に示すように、まずＡ側で写真処理装置２０のパーソナルコンピュータ５０に装置内のＲＯＭ５６からアプリケーションプログラムが呼び出され（ステップＳ３０１）、Ｂ側から受け取った加工後の画像データが入力される（ステップＳ３０２）。すると、パーソナルコンピュータ５０のパラメータ処理手段５３により、アプリケーションプログラム中に処理すべきパラメータの有無が判断される（ステップＳ３０３）。処理すべきパラメータが有ると判断されると（ステップＳ３０３でＹＥＳ）、モニター６０の画面上に、そのパラメータが表示される（ステップＳ３０４）。引き続き、パラメータ処理手段５３により、Ａ側でのパラメータ入力があるか否かが判断され（ステップＳ３０５）、Ａ側でのパラメータ入力があると判断されると（ステップＳ３０５でＹＥＳ）、マウス６２等を用いて、そのパラメータを入力してから（ステップＳ３０６）、上記ステップＳ３０３に戻る。一方、Ａ側でのパラメータ入力がないと判断されると（ステップＳ３０５でＮＯ）、そのパラメータを入力することなく（つまり、ステップＳ３０６をスキップして）、上記ステップＳ３０３に戻る。そして、上記ステップＳ３０３において、処理すべきパラメータがないと判断されると（ステップＳ３０３でＮＯ）、モニター６０の画面上に画像データが表示される（ステップＳ３０７）。ついで、画像データ再加工手段５４により、画像データの再加工があるか否かが判断され（ステップＳ３０８）、再加工があると判断されると（ステップＳ３０８でＹＥＳ）、上記すべてのパラメータを用いて、画像データが再加工される（ステップＳ３０９）。そして、プリント出力手段５５により、プリンター３０を用いてプリント出力が行われた後（ステップＳ３１０）、メインフローに戻り、動作を終了する。一方、上記ステップＳ３０８で、再加工がないと判断されると（ステップＳ３０８でＮＯ）、画像データは再加工されずに（すなわち、ステップＳ３０９をスキップして）、プリント出力が行われた後（ステップＳ３１０）、メインフローに戻る。
【００４０】
以上のように、本実施形態によれば、Ｂ側のパーソナルコンピュータ１０により、Ａ側における写真処理装置２０についてカスタマイズされたパラメータを用いて画像データが加工されるので、上記画像データは、写真処理装置２０にとって最適のデータとなるように加工される。そして、写真処理装置２０により、このパラメータを用いて加工された画像データに基づいてプリント出力がなされるので、当該写真処理装置２０にとって最適なプリント出力が行われ、これによりプリントの依頼者は常に期待したプリント出力を得ることができる。また、プリント出力作業においても、その都度プリント出力用の各種パラメータを入力する必要がなくなり、作業効率の面からも好ましいものとなる。
【００４１】
また、記録媒体には、上記パラメータを含むプログラムが記録されるが、このパラメータは当該写真処理装置２０にカスタマイズされたものであるので、この記録媒体をインストールされたパーソナルコンピュータ１０を用いて加工された画像データは、当該写真処理装置２０にとって最適なものとなる。したがって、当該写真処理装置２０は、この最適な加工データに基づいて、常に期待したプリント出力を得ることができ、かつ作業効率を向上させることができる。
【００４２】
なお、上記実施形態では、Ｂ側のパーソナルコンピュータ１０とＡ側の写真処理装置２０とを１対１に対応させているが、パーソナルコンピュータ１０は、写真処理装置２０の少なくとも１台に対し、複数台設けられることとすることもできる。その場合には、これら複数台のパーソナルコンピュータ１０により加工された画像データに基づき、上記少なくとも１台の写真処理装置２０により、最適なプリント出力を行うことができる。
【００４３】
また上記実施形態では、パーソナルコンピュータ１０と、写真処理装置２０間のパラメータの授受をフロッピーディスクを用いて行っているが、フロッピーディスク以外の記録媒体、例えばＣＤ、ＰＣカード等を用いても良い。さらに、パーソナルコンピュータ１０と、写真処理装置２０間の画像データを含めたデータ授受に、必ずしもフロッピーディスク等の記録媒体を介在させる必要はなく、例えば両者間を通信回線あるいは無線によりオンラインでのデータ授受を行うことも考えられる。その場合には、タイムリーな写真処理が可能となる。
【００４４】
また上記実施形態では、パラメータを含むアプリケーションプログラムと、画像データとは、別のフロッピーディスク等の記録媒体でデータ授受をしているが、その記録媒体の記憶容量によっては、両データを単体の記録媒体に記録しても良い。
【００４５】
【発明の効果】
以上説明したように、本発明の請求項１は、画像データに所定の画像処理を施すことにより該画像データを加工するデータ加工装置と、このデータ加工装置とは独立に設けられ、上記データ加工装置により加工された画像データに基づいてプリント出力するプリント出力装置とから構成される写真処理システムにおいて、特定のデータ加工装置は、特定のプリント出力装置に備えられたパラメータ設定部により、該特定のプリント出力装置についての所定のプリント出力が可能となるようにカスタマイズされたプリント出力用のパラメータを、ＲＡＭにインストールするパラメータ処理部を有し、このインストールされた、上記特定のプリント出力装置についてカスタマイズされたパラメータを用いて画像データを加工するものであり、上記特定のプリント出力装置は、このパラメータを用いて加工された画像データをプリント出力するものであることを特徴とする写真処理システムとして構成されている。
【００４６】
この装置構成によれば、特定のデータ加工装置により、特定のプリント出力装置についてカスタマイズされたパラメータを用いて画像データが加工されるので、上記画像データは、上記特定のプリント出力装置にとって最適のデータとなるように加工される。そして、上記特定のプリント出力装置により、このパラメータを用いて加工された画像データに基づいてプリント出力がなされるので、当該特定のプリント出力装置にとって最適なプリント出力が行われ、これによりプリントの依頼者は常に期待したプリント出力を得ることができる。また、プリント出力作業においても、その都度プリント出力用の各種パラメータを入力する必要がなくなり、作業効率の面からも好ましいものとなる。なお、プリント出力用パラメータには、プリントサイズ、面質等を含む。
【００４７】
さらに、上記特定のプリント出力装置は、上記パラメータをこの特定のプリント出力装置についてカスタマイズ可能なパラメータ設定部を備えたものであるので、フレキシブルなパラメータ設定が期待できる。また、この場合には、パラメータ変更を簡単に行うこともできる。なお、上記パラメータは、予め上記特定のプリント出力装置についてカスタマイズされたものであることとすれば、正確なパラメータ設定が期待できる。
【００４８】
さらに、上記特定のプリント出力装置についてカスタマイズされたパラメータは、このパラメータを含むプログラムを記録した記録媒体を上記特定のデータ加工装置にインストールすることにより、該特定のデータ加工装置による画像データの加工に用いられることとすれば（請求項２）、上記画像データを、上記特定のプリント出力装置にとって最適のデータとなるように簡単に加工することができる。
【００４９】
さらに、上記パラメータを用いて加工された画像データは、該データを記録した記録媒体を上記特定のプリント出力装置にインストールすることにより、該特定のプリント出力装置によるプリント出力に用いられることとすれば（請求項３）、当該特定のプリント出力装置にとって最適なプリント出力を簡単に行うことができる。
【００５０】
さらに、上記特定のデータ加工装置は、上記特定のプリント出力装置に対し、複数台設けられていることとすれば（請求項４）、これら複数台の特定のデータ加工装置により加工された画像データに基づき、上記特定のプリント出力装置により、最適なプリント出力を行うことができる。
【００５１】
また、本発明の請求項５は、画像データに所定の画像処理を施すことにより該画像データを加工するデータ加工装置とは独立に設けられ、上記データ加工装置により加工された画像データに基づいてプリント出力するプリント出力装置から構成される写真処理装置において、特定のプリント出力装置は、この特定のプリント出力装置に備えられたパラメータ設定部により該特定のプリント出力装置についての所定のプリント出力が可能となるようにカスタマイズされた、プリント出力用のパラメータがインストールされた特定のデータ加工装置により当該パラメータを用いて加工された画像データをプリント出力するものであることを特徴とする写真処理装置として構成されている。
【００５２】
この装置構成によれば、特定のプリント出力装置によって、特定のデータ加工装置によりこの特定のプリント出力装置についてカスタマイズされたパラメータを用いて加工された画像データに基づいてプリント出力がなされるので、当該特定のプリント出力装置にとって最適なプリント出力が行われ、これによりプリントの依頼者は常に期待したプリント出力を得ることができる。また、プリント出力作業においても、その都度プリント出力用の各種パラメータを入力する必要がなくなり、作業効率の面からも好ましいものとなる。
【図面の簡単な説明】
【図１】  本発明に係る写真処理システムの一実施形態を示す概略構成図である。
【図２】  上記実施形態における写真処理装置の概略構成示す断面図である。
【図３】  上記実施形態におけるＡ側での入力項目の画面を示す説明図である。
【図４】  上記実施形態におけるＢ側での入力項目の画面を示す説明図である。
【図５】  上記実施形態におけるＡ、Ｂ側間でのアプリケーションププログラムに含まれたパラメータの授受のルートを示す説明図である。
【図６】  上記実施形態における写真処理システムのうちのＢ側の制御系を示すブロック図である。
【図７】  上記実施形態における写真処理システムのうちのＡ側の制御系を示すブロック図である。
【図８】  上記実施形態における本システムの動作を示すメインフローチャートである。
【図９】  上記実施形態における本システムの動作を示すサブフローチャートである。
【図１０】  上記実施形態における本システムの動作を示すサブフローチャートである。
【図１１】  上記実施形態における本システムの動作を示すサブフローチャートである。
【符号の説明】
１０  パーソナルコンピュータ（データ加工装置）
１１  フロッピーディスクドライブ
１２  ＲＡＭ
１３  モニター
１４  マウス
１５  パラメータ処理手段
１６  画像データ加工手段
１７  ＲＯＭ
１８  ＣＰＵ
２０  写真処理装置（プリント出力装置）
３０  プリンター（プリント部）
４０  スキャナー
５０  パーソナルコンピュータ
５１  ＲＡＭ
５２  パラメータ設定手段（パラメータ設定部）
５３  パラメータ処理手段
５４  画像データ再加工手段
５５  プリント出力手段
５６  ＲＯＭ
５７  ＣＰＵ
６０  モニター
６１  フロッピーディスクドライブ
６２  マウス
【図１】
0003946905.tif 000002
【図２】
0003946905.tif 000003
【図３】
0003946905.tif 000004
【図４】
0003946905.tif 000005
【図５】
0003946905.tif 000006
【図６】
0003946905.tif 000007
【図７】
0003946905.tif 000008
【図８】
0003946905.tif 000009
【図９】
0003946905.tif 000010
【図１０】
0003946905.tif 000011
【図１１】
0003946905.tif 000012